(57)【要約】【課題】同一回路において流速センサと熱伝導率センサとの双方の機能を有し、各機能を切り替えて個別に使用することができる機能兼用型センサを実現する。【解決手段】流体の流速に応じて端子間電圧が変化するヒータ素子ＲＨと、前記流体の周囲温度に対応して端子間電圧が変化する温度センサＲＲと、前記ヒータ素子ＲＨの前記端子間電圧であるヒータ電位Ｖｈと参照電位Ｖｒとの差分に応じた測定電位を出力する演算増幅器Ｕ１とを少なくとも有するヒータ駆動回路１と、定電圧を出力する定電圧回路２と、演算増幅器Ｕ１に参照電位Ｖｒとして温度センサＲＲの前記端子間電圧を供給するか定電圧を供給するかを切り換えるスイッチＳＷ１とを備える。そして、参照電位Ｖｒとして温度センサＲＲの端子間電圧が供給されるとき、流体の流速に応じて測定電位ＯＵＴが変化する流速センサとして動作し、参照電位Ｖｒとして定電圧が供給されるとき、流体の熱伝導率に応じて前記測定電位ＯＵＴが変化する熱伝導率センサとして動作する。【選択図】図３
2015219123.tif 000002
【特許請求の範囲】
【請求項１】
流体の流速に応じて端子間電圧が変化するヒータ素子と、前記流体の周囲温度に対応して端子間電圧が変化する温度センサと、前記ヒータ素子の前記端子間電圧であるヒータ電位と参照電位との差分に応じた測定電位を出力する演算増幅器と、を少なくとも有するヒータ駆動回路と、
定電圧を出力する定電圧回路と、
前記演算増幅器に前記参照電位として前記温度センサの前記端子間電圧を供給するか前記定電圧を供給するかを切り換えるスイッチと、を備え、
前記参照電位として前記温度センサの前記端子間電圧が供給されるとき、前記流体の流速に応じて前記測定電位が変化する流速センサとして動作し、前記参照電位として前記定電圧が供給されるとき、前記流体の熱伝導率に応じて前記測定電位が変化する熱伝導率センサとして動作する、機能兼用型センサ。
【請求項２】
前記測定電位と前記ヒータ素子との間に接続された第1の抵抗素子と、
前記測定電位と前記温度センサとの間に接続された第２の抵抗素子と、を備え、
前記第１及び第２の抵抗素子は前記ヒータ素子と前記温度センサとともにブリッジ回路を形成する、請求項１に記載の機能兼用型センサ。
【請求項３】
前記ヒータ素子は、基板に設けられたキャビティを覆う絶縁膜のダイアフラム部分に設けられ、
前記温度センサは、前記ヒータ素子と離間させて前記基板上に設けられている、請求項２に記載の機能兼用型センサ。
【請求項４】
前記定電圧回路は、第２の演算増幅器と、直列に接続された第３の抵抗素子及び第４の抵抗素子と、を備え、
前記第３の抵抗素子と前記第４の抵抗素子とで分圧された中間電圧が前記定電圧として出力される、請求項１から３のいずれか１項に記載の機能兼用型センサ。
【請求項５】
前記定電圧回路は、複数の抵抗素子と複数のスイッチとを備え、前記複数のスイッチのオンまたはオフにより、多段階の異なる電圧を前記中間電圧として出力可能な多段階電圧駆動回路である、請求項１から３のいずれか１項に記載の機能兼用型センサ。
【請求項６】
前記多段階電圧駆動回路は、第２の演算増幅器と、ｎ個のスイッチと、直列に接続されたｎ＋１個の抵抗素子と、を備え、
前記ｎ個のスイッチは、前記第２の演算増幅器の入力端子に並列に接続され、
前記第２の演算増幅器の前記入力端子は、それぞれのスイッチを介して、所定の電圧電源が印加されたｎ＋１個の抵抗素子の隣接する各対の抵抗素子の間に電気的に接続され、
前記ｎ個のスイッチのオンまたはオフにより、多段階の異なる電圧を前記中間電圧として切り替え可能に構成されている、請求項５に記載の機能兼用型センサ。
【請求項７】
流体の流れ方向の上流側と下流側の流体温度を検出するための一対の温度センサを少なくとも有する流速検出回路をさらに備えている、請求項１から６に記載の機能兼用型センサ。
【請求項８】
前記流速検出回路は、
流体の流れ方向の上流側の流体温度を検出するための上流側温度センサと、下流側の流体温度を検出するための下流側温度センサと、直列に接続された一対の抵抗素子と、で形成された第２のブリッジ回路と、
前記上流側温度センサと前記下流側温度センサの検出信号とに基づいて、流体の流速と流れ方向とに対応して変化する測定電位を出力する第３の演算増幅器と、
を有する、請求項７に記載の機能兼用型センサ。
【請求項９】
前記ヒータ素子を挟んで、流体の流れ方向の上流側と下流側とにそれぞれ前記上流側温度センサと前記下流側温度センサが設けられ、前記上流側温度センサと前記下流側温度センサとは直列に接続されている、請求項７または請求項８に記載の機能兼用型センサ。
【発明の詳細な説明】
【技術分野】
【０００１】
本発明は、ヒータ素子を有する同一回路において、流速（流量）センサとしても熱伝導率センサとしても機能する機能兼用型センサに関する。
【背景技術】
【０００２】
従来、流速センサは流体の流速を検出するためのセンサとして使用され、熱伝導率センサは熱伝導率を検出するためのセンサとして使用されてきた。言い換えると、各センサは、それぞれ独立した検出機能を有するセンサとして、別個に構成される場合が殆どである。
【０００３】
例えば流速センサとしては、特許文献１に、ヒータ素子の発熱温度が流体の周囲温度よりも常に一定温度差だけ高くなるように制御するヒータ駆動回路と、ヒータ素子の上流側および下流側に設けられた一対の温度センサによりブリッジ回路を構成し、一対の温度センサの抵抗値の変化に応じたブリッジ出力電圧から流体の流量を求める熱式流量計が開示されている。
【０００４】
また熱伝導率センサを含むものとしては、特許文献２に、ヒータ素子へ段階的に定電圧を供給するように構成し、ガスの種類に応じた熱伝導率で熱がヒータ素子から奪われることによりヒータ素子の抵抗値が変化することを利用してガスの物性値を正しく評価するように構成されたガス物性値測定システムが開示されている。
【０００５】
さらに流速検出機能と熱伝導率検出機能とを有するセンサとして、特許文献３には、物体の物性値を検出可能なサーモパイルを備え、流量算出部のほかに流体物性値算出部を備えたマイクロフローセンサが開示されている。
【先行技術文献】
【特許文献】
【０００６】
【特許文献１】特開２００３−９７９８９号公報
【特許文献２】特開２０１０−２３７００４号公報
【特許文献３】特開２００１−１２９８８号公報
【発明の概要】
【発明が解決しようとする課題】
【０００７】
流量測定のためには、特許文献１に記載のようにヒータ素子の発熱温度を周囲温度よりも常に一定温度差だけ高くなるように制御する必要がある一方、熱伝導率の測定のためには、特許文献２に記載のようにヒータ素子に定電圧を供給する必要があるため、熱式流量計と熱伝導率センサは別個の測定装置として考えられていた。
【０００８】
また特許文献３記載のマイクロフローセンサは、流量計測機能と物性値測定機能とを備えているものの、熱伝導率検出用に専用のサーモパイルという温度センサをいるので、実質的に流量センサに物性値測定センサを追加したものとなっており、温度センサとインターフェース（Ｉ／Ｆ）とを配線する接続線が増加するとともに、当該温度センサの熱伝導率検出用の専用回路が必要となっていた。そして、特許文献３記載のマイクロフローセンサは、熱伝導率検出用の温度センサを流速センサのガス組成変動に対する補正用として使用しただけであり、センサ全体としては流速センサとして機能するに過ぎなかった。
【０００９】
本発明は、上記の事情に鑑みて創案されたものであり、同一回路において流速（流量）センサと熱伝導率センサとの双方の機能を有し、各機能を切り替えて個別に使用することができる機能兼用型センサの提供を目的とする。
【課題を解決するための手段】
【００１０】
本願発明者は、熱式流速（流量）センサのための回路構成と熱伝導率センサのための回路構成とを鋭意比較検討した結果、ヒータ駆動回路の主要部分を共通にしながら参照電位を切り換え可能に構成することにより、流速（流量）センサとしても熱伝導率センサとしても機能させ得ることに想到した。
【００１１】
（１）上記目的を達成するために、本発明に係る機能兼用型センサは、流体の流速に応じて端子間電圧が変化するヒータ素子と、前記流体の周囲温度に対応して端子間電圧が変化する温度センサと、前記ヒータ素子の前記端子間電圧であるヒータ電位と参照電位との差分に応じた測定電位を出力する演算増幅器と、を少なくとも有する検出回路と、定電圧を出力する定電圧回路と、前記演算増幅器に前記参照電位として前記温度センサの前記端子間電圧を供給するか前記定電圧を供給するかを切り換えるスイッチと、を備え、前記参照電位として前記温度センサの前記端子間電圧が供給されるとき、前記流体の流速に応じて前記測定電位が変化する流速センサとして動作し、前記参照電位として前記定電圧が供給されるとき、前記流体の熱伝導率に応じて前記測定電位が変化する熱伝導率センサとして動作する。
【００１２】
本願発明は所望により以下の構成を備えていてもよい。
【００１３】
（２）前記測定電位と前記ヒータ素子との間に接続された第１の抵抗素子と、前記測定電位と前記温度センサとの間に接続された第２の抵抗素子と、を備え、前記第１及び第２の抵抗素子は前記ヒータ素子と前記温度センサとともにブリッジ回路を形成する。
（３）前記ヒータ素子は、基板に設けられたキャビティを覆う絶縁膜のダイアフラム部分に設けられ、前記温度センサは、前記ヒータ素子と離間させて前記基板上に設けられている。
（４）前記定電圧回路は、第２の演算増幅器と、直列に接続された第３の抵抗素子及び第４の抵抗素子と、を備え、前記第３の抵抗素子と前記第４の抵抗素子とで分圧された中間電圧が前記定電圧として出力される。
（５）前記定電圧回路は、複数の抵抗素子と複数のスイッチとを備え、前記複数のスイッチのオンまたはオフにより、多段階の異なる電圧を前記中間電圧として出力可能な多段階電圧駆動回路である。
（６）前記多段階電圧駆動回路は、第２の演算増幅器と、ｎ個のスイッチと、直列に接続されたｎ＋１個の抵抗素子と、を備え、前記ｎ個のスイッチは、前記第２の演算増幅器の入力端子に並列に接続され、前記第２の演算増幅器の前記入力端子は、それぞれのスイッチを介して、所定の電圧電源が印加されたｎ＋１個の抵抗素子の隣接する各対の抵抗素子の間に電気的に接続され、前記ｎ個のスイッチのオンまたはオフにより、多段階の異なる電圧を前記中間電圧として切り替え可能に構成されている。
（７）流体の流れ方向の上流側と下流側の流体温度を検出するための一対の温度センサを少なくとも有する流速検出回路をさらに備えている。
（８）前記流速検出回路は、流体の流れ方向の上流側の流体温度を検出するための上流側温度センサと、下流側の流体温度を検出するための下流側温度センサと、直列に接続された一対の抵抗素子と、で形成された第２のブリッジ回路と、前記上流側温度センサと前記下流側温度センサの検出信号とに基づいて、流体の流速と流れ方向とに対応して変化する測定電位を出力する第３の演算増幅器と、を有する。
（９）前記ヒータ素子を挟んで、流体の流れ方向の上流側と下流側とにそれぞれ前記上流側温度センサと前記下流側温度センサが設けられ、前記上流側温度センサと前記下流側温度センサとは直列に接続されている。
【発明の効果】
【００１４】
本発明に係る機能兼用型センサによれば、参照電位として温度センサの端子間電圧が供給されるとき、ヒータ駆動回路は温度センサが検出する周囲温度に対して一定の温度差でヒータ素子を駆動することにより、流体の流速に応じて測定電位が変化する流速センサとして機能することになり、参照電位として定電圧が供給されるとき、流体の熱伝導率に応じてヒータ素子の端子間電流が変動し測定電位が変化する熱伝導率センサとして動作することになり、したがって、本発明によれば、ヒータ素子を有する同一回路において流速センサと熱伝導率センサとの双方の機能を有し、各機能を切り替えて個別に使用することができる機能兼用型センサを実現することができる。
【図面の簡単な説明】
【００１５】
【図１】本発明の第１の実施の形態に係る機能兼用型センサの斜視図である。
【図２】本発明の第１の実施の形態に係る機能兼用型センサの図１のＩＩ−ＩＩ方向から見た断面図である。
【図３】本発明の第１の実施の形態に係る機能兼用型センサの回路図である。
【図４】本発明の第２の実施の形態に係る機能兼用型センサの回路図である。
【図５】本発明の第３の実施の形態に係る機能兼用型センサの斜視図である。
【図６】本発明の第３の実施の形態に係る機能兼用型センサの回路図である。
【発明を実施するための形態】
【００１６】
以下に本発明の実施の形態を説明する。以下の図面の記載において、同一又は類似の部分には同一又は類似の符号で表している。但し、図面は模式的なものである。したがって、具体的な寸法等は以下の説明を照らし合わせて判断するべきものである。また、図面相互間においても互いの寸法の関係や比率が異なる部分が含まれていることは勿論である。
【００１７】
（第１の実施の形態）
まず、図１から図３を参照して、本発明の第１の実施の形態に係る機能兼用型センサ１００について説明する。図１は本発明の第１の実施の形態に係る機能兼用型センサの斜視図である。図２は本発明の第１の実施の形態に係る機能兼用型センサの図１のＩＩ−ＩＩ方向から見た断面図である。図３は本発明の第１の実施の形態に係る機能兼用型センサの回路図である。
【００１８】
第１の実施の形態に係る機能兼用型センサ１００は、図１及び図２に示す素子構造のマイクロクロチップを用い、ヒータ駆動回路１及び定電圧回路２を図３に示すように電気回路を構成して実現される。
【００１９】
図１及び図２に示すように、機能兼用型センサ１００は、キャビティＣが設けられた基板Ｂ、及び基板Ｂ上にキャビティＣを覆うように配置された絶縁膜Ｍを備える。基板Ｂの厚みは、例えば０．５ｍｍであるが、例示の厚みに限定されない。また、基板Ｂの縦横の寸法は、例えばそれぞれ１．５ｍｍ程度であるが、例示の寸法に限定されない。絶縁膜ＭのキャビティＣを覆う部分は、断熱性のダイアフラムをなしている。
【００２０】
さらに機能兼用型センサ１００は、絶縁膜Ｍのダイアフラムの部分に設けられたヒータ素子ＲＨと、基板Ｂ上に設けられた周囲温度計測用の温度センサＲＲと、を備える。温度センサＲＲも電気抵抗素子等からなる。
【００２１】
ヒータ素子ＲＨは、キャビティＣを覆う絶縁膜Ｍのダイアフラムの部分の中心に配置されている。ヒータ素子ＲＨは、電力が与えられて発熱し、ヒータ素子ＲＨに接する雰囲気ガス等の流体を加熱する。第１の抵抗素子Ｒ１及び第２の抵抗素子Ｒ２は、図示しない別の回路基板上に設けられている温度センサＲＲは、ヒータ素子ＲＨより遠方に配置されている。温度センサＲＲは、基板Ｂと熱的に平衡な雰囲気ガスのガス温度を、平衡ガス温度として検出する。温度センサＲＲは、絶縁膜Ｍを介してヒータ素子ＲＨから離間されて、熱伝導性の基板Ｂ上に設けられている。そのため、温度センサＲＲは、ヒータ素子ＲＨの発熱から受ける影響が少ない。
【００２２】
基板Ｂの材料としては、シリコン（Ｓｉ）等が使用可能であるが、例示の材料に限定されない。絶縁膜Ｍの材料としては、酸化ケイ素（ＳｉＯ2）等が使用可能であるが、例示の材料に限定されない。キャビティＣは、異方性エッチング等により形成されるが、例示の加工方法に限定されない。また、ヒータ素子ＲＨ及び温度センサＲＲのそれぞれの材料には白金（Ｐｔ）等が使用可能であり、リソグラフィ法等により形成可能であるが、例示の材料及び作製方法に限定されない。
【００２３】
機能兼用型センサ１００は、当該機能兼用型センサ１００の底面に配置された断熱部材（基台）Ｉを介して、雰囲気ガスが充填されるチャンバ等に固定される。断熱部材Ｉを介して機能兼用型センサ１００をチャンバ等に固定することにより、機能兼用型センサ１００の温度が、チャンバ等の内壁の温度変動の影響を受けにくくなる。断熱部材Ｉの熱伝導率は、例えば１０Ｗ／（ｍ・Ｋ）以下であることが好ましいが、例示の熱伝導率に限定されない。
【００２４】
図３に示すように、ヒータ駆動回路１と、定電圧回路２と、スイッチＳＷ１とを備える。ヒータ駆動回路１は、流体の流速に応じて端子間電圧が変化するヒータ素子ＲＨと、流体の周囲温度に対応して端子間電圧が変化する温度センサＲＲと、ヒータ素子ＲＨの端子間電圧であるヒータ電位Ｖｈと参照電位Ｖｒとの差分に応じた測定電位を出力する第１の演算増幅器（以下、「オペアンプ」という）Ｕ１とを少なくとも有する。特に本第１の実施の形態では、ヒータ駆動回路１は、ヒータ素子ＲＨ、周囲温度計測用の温度センサＲＲ、第１及び第２の抵抗素子Ｒ１，Ｒ２で形成されるブリッジ回路１０、並びに第１のオペアンプＵ１で構成される。これらヒータ駆動回路１の各素子は、ヒータ素子ＲＨが絶縁膜Ｍに設けられ、その他の素子は、図示しない回路基板に設けられている。第１のオペアンプＵ１の＋入力端子は、参照電位端子となっている。参照電位端子は、直列に接続された第２の抵抗素子Ｒ２と温度センサＲＲとの間に設けられているため、後述する定電圧回路２の出力端子が接続されていない場合には、温度センサＲＲの端子間電圧が参照電位Ｖｒとして供給される。さらに第１のオペアンプＵ１の＋入力端子（正極入力端子）は、温度センサＲＲを介して接地され、第２の抵抗素子Ｒ２を介してＯＵＴ端子に電気的に接続されている。第１のオペアンプＵ１の−入力端子（負極入力端子）は、直列に接続された第１の抵抗素子Ｒ１とヒータ素子ＲＨとの間のヒータ電位Ｖｈに電気的に接続されている。ヒータ電位Ｖｈは、ヒータ素子ＲＨの端子間電圧に相当する。さらに第１のオペアンプＵ１の−入力端子は、ヒータ素子ＲＨを介して接地され、第１の抵抗素子Ｒ１を介してＯＵＴ端子に電気的に接続されている。第１のオペアンプＵ１の出力端子は、当該機能兼用型センサ１００のＯＵＴ端子と電気的に接続されている。
【００２５】
定電圧回路２は、定電圧を出力可能に構成されている。特に本第１の実施の形態では、定電圧回路２は、直列接続された第３及び第４の抵抗素子Ｒ３，Ｒ４、及び第２のオペアンプＵ２で構成される。第２のオペアンプＵ２の出力端子は、スイッチＳＷ１と電気的に接続されている。第２のオペアンプＵ２の＋入力端子は、直列に接続された第３の抵抗素子Ｒ３と第４の抵抗素子Ｒ４との間の電位Ｖ３４に電気的に接続されている。直列接続された第３及び第４の抵抗素子Ｒ３，Ｒ４の一端は所定の電源電圧Ｖｃｃが印加され、他端は接地される。第２のオペアンプＵ２の−入力端子は、当該オペアンプＵ２の出力端子と電気的に接続されている。以上の回路構成により、第２のオペアンプＵ２は、バッファ回路として動作し、第３の抵抗素子Ｒ３と第４の抵抗素子Ｒ４とにより電源電圧Ｖｃｃを分圧した電圧Ｖ３４が定電圧として供給されるようになっている。
【００２６】
スイッチＳＷ１は、定電圧回路２の出力端子とヒータ駆動回路１の参照電位端子との間に設けられている。スイッチＳＷ１が投入（オン）された場合には、定電圧回路２の定電圧Ｖ３４が参照電圧Ｖｒとしてヒータ駆動回路１の＋入力端子に加えられ、遮断（オフ）された場合には、定電圧回路２の出力端子が電気的に切り離されて、温度センサＲＲの端子間電圧が参照電圧Ｖｒとしてヒータ駆動回路１の＋入力単位に加えられる。スイッチＳＷ１は、好適には、例えば中央演算装置（ＣＰＵ）等の不図示の制御装置に接続される。
【００２７】
そして制御装置は、当該機能兼用型センサ１００を流速センサとして機能させる場合には、スイッチＳＷ１をオフ状態とする。この操作により、ヒータ素子ＲＨは、周囲温度に対してある比となる温度（例えば、周囲温度が室温である場合には６０℃位）で発熱する。この結果、ヒータ素子ＲＨは、周囲の流体の流速に応じて抵抗値が変化する結果、ヒータ駆動回路１の出力、すなわち機能兼用型センサ１００のＯＵＴ端子には、流体の流速に対応する電圧が測定電位として出力される。流体の流速は、配管の断面積等のパラメータに基づき流体の流量に換算可能である。すなわち、機能兼用型センサ１００を流量センサとしても機能させることが可能である。
【００２８】
また制御装置は、当該機能兼用型センサ１００を熱伝導率センサとして機能させる場合には、スイッチＳＷ１をオン状態とする。この操作により、ヒータ素子ＲＨは定電圧駆動され、周囲の流体の熱伝導率に応じて抵抗値が変化する結果、ヒータ駆動回路１の出力、すなわち機能兼用型センサ１００のＯＵＴ端子には、周囲の流体の熱伝導率に対応する電圧が測定電位として出力される。すなわち、機能兼用型センサ１００を熱伝導率センサとしても機能させることが可能である。以下、さらに具体的に説明する。
【００２９】
第１の実施の形態に係る機能兼用型センサ１００は、スイッチＳＷ１がオフ（ＯＦＦ）の場合、当該機能兼用型センサ１００は、流速センサとして機能する。スイッチＳＷ１がオフの場合、ヒータ駆動回路１は、第２のオペアンプＵ２と第３の抵抗素子Ｒ３及び第４の抵抗素子Ｒ４からなる定電圧回路２と切り離される。第１のオペアンプＵ１は、温度センサＲＲの端子間電圧を参照電圧Ｖｒとして、ヒータ素子ＲＨのヒータ電圧Ｖｈとの差分を演算結果として出力するようになる。このため、ヒータ素子ＲＨは、周囲温度計測用の温度センサＲＲに対してある一定の温度差を保持して制御（定温度差駆動）されることになり、第１のオペアンプＵ１の出力電圧は、流体の流速に対応する値を示すようになり、機能兼用型センサ１００は流速センサとして動作する。
【００３０】
例えば、流体が流れると、強制対流によってヒータ素子ＲＨの放熱状態が高まり、ヒータ素子ＲＨの温度が低下、即ち電圧が低下する。しかし、ヒータ素子ＲＨは、一定の温度差を保持して制御されるため、第１のオペアンプＵ１の出力電圧が上昇し、流速に比例した信号電圧がＯＵＴ端子に出力される。
【００３１】
他方、スイッチＳＷ１がオン（ＯＮ）の場合、当該機能兼用型センサ１００は、熱伝導率センサとして機能する。当該機能兼用型センサ１００は、スイッチＳＷ１がオンの場合、直接接続された第３の抵抗素子Ｒ３と第４の抵抗素子Ｒ４の分圧Ｖ３４が第２のオペアンプＵ２経由で定電圧の参照電位Ｖｒとして第１のオペアンプの＋入力端子に加えられる。例えば、第３の抵抗素子Ｒ３と第４の抵抗素子Ｒ４の分圧を１Ｖとすると、温度センサＲＲと第２の抵抗素子Ｒ２との間に電気的に接続された第１のオペアンプＵ１の＋入力端子に１Ｖが加えられる。そして、第１の抵抗素子Ｒ１とヒータ素子ＲＨとの間に電気的に接続された第１のオペアンプＵ１の対となる−入力端子も定電圧駆動により１Ｖとなる。
【００３２】
すなわち、スイッチＳＷ１がオンの場合は、電源電圧Ｖｃｃ、第３の抵抗素子Ｒ３及び第４の抵抗素子Ｒ４で設定された電圧値で定電圧がヒータ素子ＲＨに印加され、熱伝導率センサとして動作する。流体はそのガス種によって異なる熱伝導率を有するため、ヒータ素子ＲＨから奪われる熱量がガス種によって異なる。すなわち、ガス種に応じて決まる電流がヒータ素子ＲＨに流れ、ガス種に対応した電圧がＯＵＴ端子に出力される。
【００３３】
以上、第１の実施の形態に係る機能兼用型センサ１００によれば、ヒータ素子ＲＨを有する同一の回路においてスイッチＳＷ１をオン・オフ制御することによって、第１のオペアンプに対する参照電位Ｖｒを、定電圧回路２の設定する定電圧としたり流体の周囲温度を検出する温度センサＲＲの端子間電圧としたりを切り替えることが可能である。したがって、第１の実施の形態に係る機能兼用型センサ１００では、流速（流量）センサと熱伝導率センサの機能を兼用させることができ、しかも熱伝導率センサのために、新たなセンサや付随するインターフェース（Ｉ／Ｆ）線、専用の電気回路を追加する必要がない。
【００３４】
ところで、スイッチＳＷ１がオフの場合であっても、第１のオペアンプＵ１のヒータ駆動回路１は熱伝導率センサとしても機能しうる。しかし、このヒータ駆動回路１は、センサの熱時定数と回路の周波数特性によって信号発振が重畳することで、Ｓ／Ｎ比の悪い信号となることがある。そのため、スイッチＳＷ１をオンにして定電圧で駆動したほうがＳ／Ｎ比を高い信号にすることができる。第１の実施の形態に係る機能兼用型センサ１００によれば、ヒータ素子ＲＨ、周囲温度計測用の温度センサＲＲ及びＧＮＤの３本線のみで流速（流量）又は熱伝導率を検出可能であるので、配線数が少なくて済むという優れた効果を奏する。
【００３５】
（第２の実施の形態）
次に、図４を参照して、本発明の第２の実施の形態に係る機能兼用型センサ２００について説明する。図４は本発明の第２の実施の形態に係る機能兼用型センサの回路図である。なお、第１の実施の形態と同一の構成要素については、同一の符号を付して説明を省略する。
【００３６】
図４に示すように、第２の実施の形態に係る機能兼用型センサ２００は、第１のスイッチＳＷ１を介して電気的に接続された定電圧回路２０２の構成が第１の実施の形態と異なる。当該定電圧回路２０２は、複数のスイッチのオン・オフにより、多段階の電圧を切り替え可能な多段階電圧駆動回路である。
【００３７】
すなわち、第２の実施の形態に係る機能兼用型センサ２００の定電圧回路２０２は、第２のオペアンプＵ２、第２及び第３のスイッチＳＷ２，ＳＷ３及び第３から第５の抵抗素子Ｒ３，Ｒ４，Ｒ５を備える。直列に接続された第３から第５の抵抗素子Ｒ３，Ｒ４，Ｒ５の一端が所定の電源電圧Ｖccが印加され、他端は接地される。第２のオペアンプＵ２の＋入力端子には、第２のスイッチＳＷ２と第３のスイッチＳＷ３が並列に接続されている。第２のオペアンプＵ２の＋入力端子は、第２のスイッチＳＷ２を介して、直列に接続された第３から第５の抵抗素子Ｒ３，Ｒ４，Ｒ５のうちの第３の抵抗素子Ｒ３と第４の抵抗素子Ｒ４との間の分圧Ｖ３４に電気的に接続されている。また第２のオペアンプＵ２の＋入力端子は、第３のスイッチＳＷ３を介して、直列に接続された第３から第５の抵抗素子Ｒ３，Ｒ４，Ｒ５のうちの第４の抵抗素子Ｒ４と第５の抵抗素子Ｒ５との間の分圧Ｖ４５に電気的に接続されている。第２のオペアンプＵ２の−入力端子は、当該オペアンプＵ２の出力端子と電気的に接続され、バッファ回路を構成している。
【００３８】
第２の実施の形態に係る機能兼用型センサ２００は、基本的に第１の実施の形態に係る機能兼用型センサ１００と同様の作用効果を奏する。すなわち、第２の実施の形態に係る機能兼用型センサ２００では、第１のスイッチＳＷ１をオフ制御することで、ヒータ駆動回路１を流速センサとして動作させる。他方、第２の実施の形態に係る機能兼用型センサ２００では、第１のスイッチＳＷ１をオン制御することで、ヒータ駆動回路１を熱伝導率センサとして動作させる。
【００３９】
特に、第２の実施の形態に係る機能兼用型センサ２００では、ヒータ素子ＲＨの温度設定を２段階で切り替えることができる。すなわち、第２のスイッチＳＷ２をオン制御し、第３のスイッチＳＷ３をオフ制御とすることで、ヒータ素子ＲＨに高い定電圧を印加することができる。また、第２のスイッチＳＷ２をオフ制御し、第３のスイッチＳＷ３をオン制御とすることで、ヒータ素子ＲＨに低い定電圧を印加することができる。
【００４０】
定電圧としては上記したような２段階に限らず、さらに多段の定電圧を提供可能に構成することもできる。すなわち、第２のオペアンプＵ２の＋入力端子にｎ個のスイッチを並列接続するとともに、各スイッチを介してｎ＋１個の抵抗素子の隣接する対の抵抗素子の間に接続すれば、ヒータ素子ＲＨの温度を３段階，４段階，５段階と切り替えることが可能になる。ヒータ素子ＲＨの発熱温度を多段階に切り替えることにより、複数種類の混合ガスである天然ガスの発熱量を正確に計測することが可能になる。天然ガスは、メタン、エタン、ブタン及びプロパンの４種のガスの混合ガスであり、ガス種に応じて熱伝導率の変化が異なる。ヒータ素子ＲＨの温度が１段階であると、発熱温度が５０〜６０℃で固定され、当該温度に適するガスの熱伝導率が計測される。ヒータ素子ＲＨの温度が多段階であると、発熱温度が多段階になって広いレンジで熱伝導率を計測でき、ガス種を判定することができる。よって、第２の実施の形態に係る機能兼用型センサ２００によれば、例えば１Ｖ固定の定電圧を複数の分圧を設けて、１Ｖと２Ｖに切り替えることができるという有利な効果を奏する。
【００４１】
（第３の実施の形態）
次に、図５及び図６を参照して、本発明の第３の実施の形態に係る機能兼用型センサ３００について説明する。図５は本発明の第３の実施の形態に係る機能兼用型センサの回路図である。なお、第２の実施の形態と同一の構成要素については、同一の符号を付して説明を省略する。
【００４２】
図５及び図６に示すように、第３の実施の形態に係る機能兼用型センサ３００は、流速検出回路３０１を有する点が第２の実施の形態と異なる。すなわち、第３の実施の形態に係る機能兼用型センサ３００は、図５に示す素子構造のマイクロクロチップを用い、図６に示すヒータ駆動回路１、流速検出回路３０１及び定電圧回路２０２を構成して実現される。図５に示すように、第３の実施の形態に係る機能兼用型センサ３００は、図１の素子構造に加え、絶縁膜Ｍのダイアフラムの部分に、ヒータ素子ＲＨを挟むように上流側温度センサＲＵと下流側温度センサＲＤを配置している。上流側温度センサＲＵ及び下流側温度センサＲＤも電気抵抗素子等からなる。
【００４３】
図６に示すように、流速検出回路３０１は、上流側温度センサＲＵ、下流側温度センサＲＤ、第６及び第７の抵抗素子Ｒ６，Ｒ７で形成されるブリッジ回路３１０、並びに第３のオペアンプ（計測アンプ）Ｕ３で構成される。第３のオペアンプＵ３の＋入力端子は、直列に接続された第６の抵抗素子Ｒ６と第７の抵抗素子Ｒ７との間の分圧Ｖ６７に電気的に接続されている。第６の抵抗素子Ｒ６には所定の電源電圧Ｖｂが印加され、第７の抵抗素子Ｒ７は接地される。第３のオペアンプＵ３の−入力端子は、直列に接続された上流側温度センサＲＵと下流側温度センサＲＤとの間の分圧Ｖｕｄに電気的に接続されている。上流側温度センサＲＵは所定の電源電圧Ｖｂが印加され、下流側温度センサＲＤは接地される。第３のオペアンプＵ３の出力端子は、当該機能兼用型センサ３００のＯＵＴ２端子と電気的に接続される。ＯＵＴ２端子は、例えば中央演算装置（ＣＰＵ）等の不図示の制御装置に接続される。
【００４４】
第３の実施の形態に係る機能兼用型３００は、図１の素子構造を備え、第２の実施の形態に係る機能兼用型センサ２００のヒータ駆動回路１及び定電圧回路２０２を備えている。したがって、第３の実施の形態に係る機能兼用型センサ３００は、基本的に第２の実施の形態に係る機能兼用型センサ２００と同様の作用効果を奏する。すなわち、第３の実施の形態に係る機能兼用型センサ３００では、ヒータ素子ＲＨの温度設定を２段階で切り替えることができる。第２のスイッチＳＷ２をオン制御し、第３のスイッチＳＷ３をオフ制御とすることで、ヒータ駆動回路１に高い定電圧Ｖ３４を印加することができる。また、第２のスイッチＳＷ２をオフ制御し、第３のスイッチＳＷ３をオン制御とすることで、ヒータ駆動回路１に低い定電圧Ｖ４５を印加することができる。
【００４５】
特に、第３の実施の形態に係る機能兼用型センサ３００では、図１の素子構造に加え、図５に示すように、ヒータ素子ＲＨを挟んで上流側温度センサＲＵと下流側温度センサＲＤを配置した流速回路３０１を備えている。したがって、第３の実施の形態に係る機能兼用型センサ３００では、第１のスイッチＳＷ１をオフ制御すると、流速回路３０１のＯＵＴ２端子からは、流れ方向Ｆが正方向から逆方向に変化するに従って対応する電圧が出力される。したがって、第３の実施の形態に係る機能兼用型センサ３００では、ＯＵＴ２端子からの出力が、流体の流れ方向Ｆが逆方向から正方向に変化する場合に、一義的に定まる電圧値を示すようになる。すなわち、流速のみならず、流れ方向Ｆが正方向であるか、もしくは逆方向であるかを電圧値から直接読み取ることができる（図５参照）。なお、このとき、ヒータ駆動回路１のＯＵＴ１端子からも流速に対応する電圧値が出力されるが、流体の流れ方向Ｆが正方向であっても逆方向であっても同一の絶対値である流速については同じ電圧値が出力されることになるため、流体の流れ方向を判定することはできない。
【００４６】
また、第１のスイッチＳＷ１をオン制御すると、第２のスイッチＳＷ２と第３のスイッチＳＷ３によって選択された定電圧が参照電位Ｖｒとして第１のオペアンプＵ１に供給され、流体の熱伝導率を示す熱伝導率信号がＯＵＴ１端子から出力される。すなわち第３の実施の形態に係る機能兼用型センサ３００によれば、流体の流れ方向についても検出可能な流速センサに熱伝導率センサの機能を兼用させることが可能である。
【００４７】
〔その他の実施の形態〕
上記のように本発明を実施の形態によって記載したが、この開示の一部をなす記述及び図面はこの発明を限定するものであると理解するべきではない。この開示から当業者には様々な代替実施の形態、実施例及び運用技術が明らかになるはずである。
【００４８】
例えば、第１の実施の形態の当該機能兼用型センサ１００に加えて、第３の実施の形態の流速検出回路３０１を付加するように構成してもよい。このように、本発明はここでは記載していない様々な実施の形態等を包含するということを理解すべきである。
【符号の説明】
【００４９】
１    検出回路
２，２０２    ヒータ駆動回路
１０    ブリッジ回路
１００，２００，３００    機能兼用型センサ
３０１    熱伝導率検出回路
Ｂ    基板
Ｃ    キャビティ
Ｆ    流れ方向
Ｍ    絶縁膜
ＲＨ    ヒータ素子
ＲＲ    周囲温度計測用の温度センサ
Ｒ１〜Ｒ７    抵抗素子
ＲＵ    上流側温度センサ
ＲＤ    下流側温度センサ
ＳＷ１，ＳＷ２，ＳＷ３    スイッチ
Ｕ１，Ｕ２，Ｕ３    演算増幅器
【図１】
2015219123.tif 000003
【図２】
2015219123.tif 000004
【図３】
2015219123.tif 000005
【図４】
2015219123.tif 000006
【図５】
2015219123.tif 000007
【図６】
2015219123.tif 000008